(57)【特許請求の範囲】
【請求項１】
対向配置された第１基板及び第２基板と、
前記第１基板の一面側に設けられた第１電極及び第２電極と、
前記第２基板の一面側に設けられた第３電極及び第４電極と、
前記第１基板の一面側に設けられた第１垂直配向膜と、
前記第２基板の一面側に設けられた第２垂直配向膜と、
前記第１基板と前記第２基板の相互間に設けられた液晶層、
を含み、
前記第１電極と前記第３電極は、互いに重畳した領域が規則的に配列された複数の画素部となるドットマトリクス表示部を構成し、
前記第２電極と前記第４電極は、互いに重畳した領域が所定の文字又は図案の形状となるセグメント表示部を構成し、
前記第１及び第２垂直配向膜の少なくとも一方は、前記ドットマトリクス表示部と前記セグメント表示部において同一の一軸配向能を有しており、
前記液晶層は、前記ドットマトリクス表示部に対応する領域よりも前記セグメント表示部に対応する領域の方が当該液晶層の全体における平均的なプレティルト角が小さく、かつ当該プレティルト角が前記ドットマトリクス表示部と前記セグメント表示部のいずれにおいても９０°未満である、
液晶表示装置。
【請求項２】
前記液晶層は、誘電率異方性が負の液晶材料と、感光性樹脂モノマーを重合させた高分子体を有しており、
前記高分子体によって前記ドットマトリクス表示部に対応する領域よりも前記セグメント表示部に対応する領域のほうが小さくなるようにプレティルト角を付与される、請求項１に記載の液晶表示装置。
【請求項３】
前記第１電極、前記第２電極、前記第３電極及び前記第４電極を介して前記液晶層にマルチプレックス駆動による駆動電圧を印加したときに外観観察による表示不均一が生じないフレーム周波数の下限値が、前記ドットマトリクス表示部と前記セグメント表示部で略等しい、請求項１又は２に記載の液晶表示装置。
【請求項４】
規則的に配列された複数の画素部となるドットマトリクス表示部と、所定の文字又は図案の形状となるセグメント表示部とを有し、前記ドットマトリクス表示部に対応する領域よりも前記セグメント表示部に対応する領域の方が液晶層の全体における平均的なプレティルト角が小さい液晶表示装置の製造方法であって、
（ａ）第１電極及び第２電極を有する第１基板上に当該第１電極及び第２電極を覆う第１垂直配向膜を形成する工程と、
（ｂ）第３電極及び第４電極を有する第２基板上に当該第３電極及び第４電極を覆う第２垂直配向膜を形成する工程と、
（ｃ）前記第１垂直配向膜及び前記第２垂直配向膜の少なくとも一方に、前記ドットマトリクス表示部に対応する領域と前記セグメント表示部に対応する領域に対して共通の一軸配向処理を行う工程と、
（ｄ）前記第１電極と前記第３電極が重畳して前記ドットマトリクス表示部を構成し、かつ前記第２電極と前記第４電極が重畳して前記セグメント表示部を構成するように前記第１基板と前記第２基板を対向配置する工程と、
（ｅ）前記第１基板と前記第２基板の相互間に、誘電率異方性が負の液晶材料と感光性樹脂モノマーを含有する液晶組成物を注入することにより液晶層を形成する工程と、
（ｆ）前記第２電極と前記第４電極の間にのみ電圧を印加した状態で前記液晶層に光を照射する工程と、
（ｇ）前記液晶層を前記液晶材料の等方相温度以上の温度で熱処理する工程と、
を含む、液晶表示装置の製造方法。
【請求項５】
規則的に配列された複数の画素部となるドットマトリクス表示部と、所定の文字又は図案の形状となるセグメント表示部とを有し、前記ドットマトリクス表示部に対応する領域よりも前記セグメント表示部に対応する領域の方が液晶層の全体における平均的なプレティルト角が小さい液晶表示装置の製造方法であって、
（ａ）第１電極及び第２電極を有する第１基板上に当該第１電極及び第２電極を覆う第１垂直配向膜を形成する工程と、
（ｂ）第３電極及び第４電極を有する第２基板上に当該第３電極及び第４電極を覆う第２垂直配向膜を形成する工程と、
（ｃ）前記第１垂直配向膜及び前記第２垂直配向膜の少なくとも一方に、前記ドットマトリクス表示部に対応する領域と前記セグメント表示部に対応する領域に対して共通の一軸配向処理を行う工程と、
（ｄ）前記第１電極と前記第３電極が重畳して前記ドットマトリクス表示部を構成し、かつ前記第２電極と前記第４電極が重畳して前記セグメント表示部を構成するように前記第１基板と前記第２基板を対向配置する工程と、
（ｅ）前記第１基板と前記第２基板の相互間に、誘電率異方性が負の液晶材料と感光性樹脂モノマーを含有する液晶組成物を注入することにより液晶層を形成する工程と、
（ｆ）前記第１電極と前記第３電極の間と前記第２電極と前記第４電極の間のそれぞれに電圧を印加した状態で前記液晶層の前記セグメント表示部に対応する領域のみに光を照射する工程と、
（ｇ）前記第１電極と前記第３電極の間と前記第２電極と前記第４電極の間のいずれにも電圧を印加しない状態で、少なくとも前記液晶層の前記ドットマトリクス表示部に対応する領域に光を照射する工程と、
（ｈ）前記液晶層を前記液晶材料の等方相温度以上の温度で熱処理する工程と、
を含む、液晶表示装置の製造方法。
【請求項６】
前記（ｇ）において前記液晶層の前記セグメント表示部に対応する領域にも光を照射する、請求項５に記載の液晶表示装置の製造方法。
【発明の詳細な説明】
【技術分野】
【０００１】
本発明は、垂直配向型の液晶表示装置における表示品質の改良技術に関する。
【背景技術】
【０００２】
上下基板間に配置された液晶層内の液晶分子が電圧無印加時において各基板に対してほぼ垂直に配向する垂直配向型の液晶表示装置（液晶表示素子）は、正面観察時における液晶層のリタデーションがゼロまたはほぼゼロであるため、上下基板を挟んで配置される各偏光板をクロスニコル配置とした場合には偏光板自体による消光性能が発揮されることにより非常に良好な黒表示特性を実現することができる。そして、例えば、特許第４６１４２００号公報（特許文献１）に示されるように特定の表面自由エネルギーを有する垂直配向膜に対し特定のラビング条件にてラビング処理を施すことにより、電圧無印加時および電圧印加時におけるラビング筋などの配向欠陥が観察されず配向均一性に優れた垂直配向型の液晶表示装置を実現できる。
【０００３】
上記のような垂直配向型の液晶表示装置は、下基板に設けられた下側電極と上基板に設けられた上側電極によって液晶層に電圧を印加することで液晶層の配向状態が制御される。電圧印加方法としては、例えばマルチプレックス駆動法（単純マトリクス駆動法）が用いられる。しかし、特開２００８−２８１７５２号公報（特許文献２）に開示されるように、基板表面を配向処理した垂直配向型液晶表示装置をマルチプレックス駆動した場合には駆動時のフレーム周波数を低下することにより表示不均一性が発生する。したがって、表示均一性が得られるよう設定したプレティルト角や駆動波形によりフレーム周波数をある数値以上に設定する必要がある。
【０００４】
ところで、上記の特許文献２においては主にセグメント表示型液晶表示装置に関して検討した結果が示されていたが、セグメント表示部とドットマトリクス表示部を混在させた液晶表示装置については検討されていない。これについて発明者らが検討したところ、セグメント表示部とドットマトリクス表示部の両者に対して共通した駆動条件にて駆動する場合には、表示不均一性が発生するフレーム周波数がセグメント表示部とドットマトリクス表示部で異なり、セグメント表示部のほうが高いフレーム周波数で表示不均一性がみられるという現象が観察された。したがって、セグメント表示部に配向不均一性が発生しないようにするためには、セグメント表示部のみならずドットマトリクス表示部についてもフレーム周波数をより高くする必要が生じる。しかし、フレーム周波数を上昇させた場合には、ドットマトリクス表示部におけるクロストーク現象が顕著となることから表示ムラが生じ、表示品位の低下やコントラストの低下を招くという不都合が生じる。これに対して、セグメント表示部とドットマトリクス表示部で駆動条件を別々にするという方法も考えられるが、駆動回路の複雑化による高コスト化を招くため好ましくない。
【先行技術文献】
【特許文献】
【０００５】
【特許文献１】特許第４６１４２００号公報
【特許文献２】特開２００８−２８１７５２号公報
【発明の概要】
【発明が解決しようとする課題】
【０００６】
本発明に係る具体的態様は、垂直配向型の液晶表示装置における表示均一性を向上させることを目的の１つとする。
【課題を解決するための手段】
【０００７】
本発明に係る一態様の液晶表示装置は、（ａ）対向配置された第１基板及び第２基板と、（ｂ）第１基板の一面側に設けられた第１電極及び第２電極と、（ｃ）第２基板の一面側に設けられた第３電極及び第４電極と、（ｄ）第１基板の一面側に設けられた第１垂直配向膜と、（ｅ）第２基板の一面側に設けられた第２垂直配向膜と、（ｆ）第１基板と第２基板の相互間に設けられた液晶層を含み、（ｇ）第１電極と第３電極は、互いに重畳した領域が規則的に配列された複数の画素部となるドットマトリクス表示部を構成し、第２電極と第４電極は、互いに重畳した領域が所定の文字又は図案の形状となるセグメント表示部を構成し、（ｈ）第１及び第２垂直配向膜の少なくとも一方は、ドットマトリクス表示部とセグメント表示部において同一の一軸配向能を有しており、（ｉ）液晶層は、ドットマトリクス表示部に対応する領域よりもセグメント表示部に対応する領域の方が当該液晶層の全体における平均的なプレティルト角が小さく、かつ当該プレティルト角が前記ドットマトリクス表示部と前記セグメント表示部のいずれにおいても９０°未満である、ことを特徴とする液晶表示装置である。この液晶表示装置における液晶層は、例えば、誘電率異方性が負の液晶材料と、感光性樹脂モノマーを重合させた高分子体を有しており、高分子体によってドットマトリクス表示部に対応する領域よりもセグメント表示部に対応する領域のほうが小さくなるようにプレティルト角が付与される。
【０００８】
上記の液晶表示装置によれば、例えば感光性樹脂モノマーを重合させた高分子体による配向規制作用を利用してドットマトリクス表示部におけるプレティルト角よりもセグメント表示部におけるプレティルト角が相対的に低くすることで、ドットマトリクス表示部に比べてセグメント表示部の表示均一性が得られるフレーム周波数を低くすることが可能となる。それにより、セグメント表示部における配向不均一性の発生を回避するためにフレーム周波数を高くする必要がなく、ドットマトリクス表示部においてクロストーク現象による表示品位の低下やコントラストの低下を招くという不都合を回避できる。したがって、例えばドットマトリクス表示部とセグメント表示部に対して同一のフレーム周波数で駆動信号を供給した場合にも、セグメント表示部とドットマトリクス表示部のいずれでも表示均一性を高めることが可能となる。
【０００９】
上記の液晶表示装置においては、第１電極、第２電極、第３電極及び第４電極を介して液晶層にマルチプレックス駆動による駆動電圧を印加したときに外観観察による表示不均一が生じないフレーム周波数の下限値が、ドットマトリクス表示部とセグメント表示部で略等しいことが好ましい。
【００１０】
それにより、同一のフレーム周波数で駆動信号を供給した場合の表示均一性をさらに高めることが可能となる。
【００１１】
本発明に係る一態様の液晶表示装置の製造方法は、規則的に配列された複数の画素部となるドットマトリクス表示部と、所定の文字又は図案の形状となるセグメント表示部とを有し、ドットマトリクス表示部に対応する領域よりもセグメント表示部に対応する領域の方が液晶層の全体における平均的なプレティルト角が小さい液晶表示装置の製造方法であって、（ａ）第１電極及び第２電極を有する第１基板上に当該第１電極及び第２電極を覆う第１垂直配向膜を形成する工程と、（ｂ）第３電極及び第４電極を有する第２基板上に当該第３電極及び第４電極を覆う第２垂直配向膜を形成する工程と、（ｃ）第１垂直配向膜及び第２垂直配向膜の少なくとも一方に、ドットマトリクス表示部に対応する領域とセグメント表示部に対応する領域に対して共通の一軸配向処理を行う工程と、（ｄ）第１電極と第３電極が重畳してドットマトリクス表示部を構成し、かつ第２電極と第４電極が重畳してセグメント表示部を構成するように第１基板と第２基板を対向配置する工程と、（ｅ）第１基板と第２基板の相互間に、誘電率異方性が負の液晶材料と感光性樹脂モノマーを含有する液晶組成物を注入することにより液晶層を形成する工程と、（ｆ）第２電極と第４電極の間にのみ電圧を印加した状態で液晶層に光を照射する工程と、（ｇ）液晶層を液晶材料の等方相温度以上の温度で熱処理する工程と、を含む液晶表示装置の製造方法である。
【００１２】
本発明に係る他の態様の液晶表示装置の製造方法は、規則的に配列された複数の画素部となるドットマトリクス表示部と、所定の文字又は図案の形状となるセグメント表示部とを有し、ドットマトリクス表示部に対応する領域よりもセグメント表示部に対応する領域の方が液晶層の全体における平均的なプレティルト角が小さい液晶表示装置の製造方法であって、（ａ）第１電極及び第２電極を有する第１基板上に当該第１電極及び第２電極を覆う第１垂直配向膜を形成する工程と、（ｂ）第３電極及び第４電極を有する第２基板上に当該第３電極及び第４電極を覆う第２垂直配向膜を形成する工程と、（ｃ）第１垂直配向膜及び第２垂直配向膜の少なくとも一方に、ドットマトリクス表示部に対応する領域とセグメント表示部に対応する領域に対して共通の一軸配向処理を行う工程と、（ｄ）第１電極と第３電極が重畳してドットマトリクス表示部を構成し、かつ第２電極と第４電極が重畳してセグメント表示部を構成するように第１基板と第２基板を対向配置する工程と、（ｅ）第１基板と第２基板の相互間に、誘電率異方性が負の液晶材料と感光性樹脂モノマーを含有する液晶組成物を注入することにより液晶層を形成する工程と、（ｆ）第１電極と第３電極の間と第２電極と第４電極の間のそれぞれに電圧を印加した状態で液晶層のセグメント表示部に対応する領域のみに光を照射する工程と、（ｇ）第１電極と第３電極の間と第２電極と第４電極の間のいずれにも電圧を印加しない状態で、少なくとも液晶層のドットマトリクス表示部に対応する領域に光を照射する工程と、（ｈ）液晶層を液晶材料の等方相温度以上の温度で熱処理する工程と、を含む液晶表示装置の製造方法である。なお、上記した（ｇ）工程においては、液晶層のセグメント表示部に対応する領域にも光を照射してもよい。
【００１３】
上記したいずれかの製造方法によれば、感光性樹脂モノマーを重合させた高分子体による配向規制作用を利用してドットマトリクス表示部におけるプレティルト角よりもセグメント表示部におけるプレティルト角が相対的に低くした液晶表示装置を製造することができる。このような液晶表示装置は、ドットマトリクス表示部に比べてセグメント表示部の表示均一性が得られるフレーム周波数を低くすることが可能となる。それにより、セグメント表示部における配向不均一性の発生を回避するためにフレーム周波数を高くする必要がなく、ドットマトリクス表示部においてクロストーク現象による表示品位の低下やコントラストの低下を招くという不都合を回避できる。したがって、例えばドットマトリクス表示部とセグメント表示部に対して同一のフレーム周波数で駆動信号を供給した場合にも、セグメント表示部とドットマトリクス表示部のいずれでも表示均一性を高めることが可能となる。
【図面の簡単な説明】
【００１４】
【図１】第１実施形態の液晶表示装置を模式的に示す断面図である。
【図２】液晶層の内部構成を模式的に示すモデル図である。
【図３】第１実施形態の液晶表示装置の製造方法の一例を示す模式的な断面図である。
【図４】比較例の液晶表示装置の外観を示す図である。
【図５】比較例および実施例の液晶表示装置において、各表示部の表示均一性が得られる駆動周波数の評価結果を示す図（表）である。
【図６】文字表示部、７セグメント表示部の縦棒部分および横棒部分における表示均一性が得られるフレーム周波数の紫外線照射時の印加電圧依存性を示す図である。
【図７】紫外線照射時の印加電圧と液晶層のプレティルト角の関係の評価結果を示す図である。
【図８】各駆動電圧Ｖ５の差ΔＶ５の紫外線照射時の印加電圧への依存性を評価した結果を示す図である。
【図９】紫外線感光性樹脂モノマー添加量が２ｗｔ％、４ｗｔ％のときにおける表示均一性が得られるフレーム周波数の紫外線照射時の印加電圧への依存性を示す図である。
【図１０】紫外線感光性樹脂モノマーを各添加濃度とした液晶表示装置において紫外線照射時の印加電圧に対するプレティルト角の発現状態について評価した結果を示す図である。
【図１１】表示均一性が得られるフレーム周波数の下限値の紫外線照度依存性について評価した結果を示す図である。
【図１２】第２実施形態の液晶表示装置の製造方法の一例を示す模式的な断面図である。
【発明を実施するための形態】
【００１５】
以下に、本発明の実施の形態について図面を参照しながら説明する。
【００１６】
（第１実施形態）
図１は、第１実施形態の液晶表示装置を模式的に示す断面図である。図１に示す本実施形態の液晶表示装置は、規則的に配列された複数の画素部を有するドットマトリクス表示部１と、任意の文字や図案などを表示するための表示部を有するセグメント表示部２を備え、上下基板間に配置された液晶層内の液晶分子が電圧無印加時において各基板に対してほぼ垂直に配向する垂直配向型の液晶表示装置である。図１に示すように液晶表示装置は、対向配置された上側基板（第１基板）１１および下側基板（第２基板）１２と、両基板の間に配置された液晶層１９を基本構成として備える。
【００１７】
上側基板１１は、例えばガラス基板、プラスチック基板等の透明基板である。下側基板１２は、上側基板１１と同様に、例えばガラス基板、プラスチック基板等の透明基板である。図示のように、上側基板１１と下側基板１２は、上側電極１３ａと下側電極１４ａが対向し、かつ上側電極１３ｂと下側電極１４ｂが対向するようにして、所定の間隙（例えば６μｍ程度）を設けて貼り合わされている。
【００１８】
上側電極１３ａ、１３ｂは、上側基板１１の一面側に設けられている。同様に、下側電極１４ａ、１４ｂは、下側基板１２の一面側に設けられている。上側電極１３ａ、１３ｂおよび下側電極１４ａ、１４ｂは、それぞれ例えばインジウム錫酸化物（ＩＴＯ）などの透明導電膜を適宜パターニングすることによって構成されている。これらの上側電極１３ａ、１３ｂ、下側電極１４ａ、１４ｂを介して外部の駆動回路（図示省略）から液晶層１９に駆動電圧が供給される。
【００１９】
上側電極１３ａと下側電極１４ａは、互いが重なった領域がセグメント表示部２の所定の文字や図案を形作るように構成されている。上側電極１３ｂは、紙面の左右方向に対応する第１方向に延在するストライプ形状に形成されており、下側電極１４ｂは、上記の第１方向と直交する第２方向に延在するストライプ形状に形成されている。これらの上側電極１３ｂと下側電極１４ｂとが互いに交差した領域のそれぞれが画素部となり、全体としては規則的に配列された複数の画素部からなるドットマトリクス表示部１が構成される。
【００２０】
配向膜１５は、上側基板１１の一面側において上側電極１３ａ、１３ｂを覆うようにして設けられている。また、配向膜１６は、下側基板１２の一面側に、下側電極１４ａ、１４ｂを覆うようにして設けられている。これらの配向膜１５、１６としては、液晶層１９の配向状態を垂直配向に規制する垂直配向膜が用いられている。各配向膜１５、１６は、それぞれラビング処理等の一軸配向処理が施されており、それぞれへの配向処理の方向が逆方向となるように配置されている。なお、一軸配向処理はいずれか片方の配向膜のみに施してもよい。
【００２１】
ポリマー膜１７は、上側基板１１の一面側において配向膜１５上に設けられている。また、ポリマー膜１８は、下側基板１２の一面側において配向膜１６上に設けられている。これらのポリマー膜１７、１８は、例えば、液晶層１９を構成する液晶材料に予め感光性樹脂モノマーを混入しておき、その後外部から紫外線等の光を照射して感光性樹脂モノマーをポリマー化した際に各配向膜１５、１６上に形成されるものである。
【００２２】
液晶層１９は、上側基板１１と下側基板１２の間に設けられている。本実施形態においては、誘電率異方性Δεが負の液晶材料を用いて液晶層１９が構成されている。液晶層１９に図示された太線は、液晶層１９における液晶分子の配向方向を模式的に示したものである。本実施形態の液晶層１９は、電圧無印加時における液晶分子の配向方向が上側基板１１および下側基板１２の各基板面に対して略垂直となる垂直配向モードに設定されている。
【００２３】
上側偏光板２１は、上側基板１１の外側に配置されている。同様に、下側偏光板２２は、下側基板１２の外側に配置されている。上側偏光板２１と下側偏光板２２は、各々の吸収軸が互いに略直交するように配置されている。これにより、本実施形態の液晶表示装置はノーマリーブラックモードとなる。また、上側偏光板２１と下側偏光板２２の各吸収軸は、配向処理の方向に対応して定義される液晶層１９の層厚方向の略中央における液晶分子の配向方向に対して略４５°の角度をなす位置に設定される。なお、各偏光板２１、２２と各基板１１、１２との間には適宜Ｃプレート等の光学補償板が配置されてもよい。例えば本実施形態では、上側基板１１と上側偏光板２１の間、下側基板１２と下側偏光板２２の間のそれぞれに光学補償板２３、２４が配置されている。
【００２４】
図２は、液晶層１９の内部構成を模式的に示すモデル図である。詳細には、図２（Ａ）は液晶層１９のうちドットマトリクス表示部１に対応する領域での内部構成のモデル図である。また、図２（Ｂ）は液晶層１９のうちセグメント表示部２に対応する領域での内部構成のモデル図である。本実施形態の液晶表示装置における液晶層１９は、液晶分子３０と、モノマー３１が相互に結合してなる高分子ネットワーク（高分子体）を含んでいる。このような高分子ネットワークは、例えば、少量（例えば数ｗｔ％）の紫外線感光性樹脂モノマーが混入された液晶材料を上側基板１１と下側基板１２の間に注入し、その後外部から紫外線照射を行うことによって形成される。本実施形態ではドットマトリクス表示部１に対応する領域とセグメント表示部２に対応する領域で紫外線照射の条件を異ならせることにより、高分子ネットワークによる配向規制作用の差を利用してドットマトリクス表示部１とセグメント表示部２のそれぞれにおけるプレティルト角を異なる大きさに制御している。具体的には、ドットマトリクス表示部１に対応する領域でのプレティルト角をθｐｄとし（図２（Ａ）参照）、セグメント表示部２に対応する領域でのプレティルト角をθｐｓとすると（図２（Ｂ）参照）、これらの関係はθｐｓ＜θｐｄとなっている。すなわち、セグメント表示部２に対応する領域のプレティルト角のほうがドットマトリクス表示部１に対応する領域のプレティルト角よりも小さい。ここでいう「プレティルト角」とは、液晶層１９の全体における平均的なプレティルト角であり、上側基板１１あるいは下側基板１２と液晶層１９との界面近傍におけるプレティルト角とは異なる。また、プレティルト角の大きさについては、上側基板１１または下側基板１２の基板面法線からの角度として規定している。
【００２５】
次に、図１に示した断面構造を有する液晶表示装置の製造方法の一例を説明する。図３は、第１実施形態の液晶表示装置の製造方法の一例を示す模式的な断面図である。
【００２６】
まず、上側基板１１および下側基板１２をそれぞれ作製する。例えば、片面が研磨処理され、その表面にＳｉＯ２アンダーコートが施された後、ＩＴＯ（インジウム錫酸化物）からなる透明電極が成膜された一対のガラス基板を用意する。これらのガラス基板の透明電極に対してフォトリソグラフィー工程及びエッチング工程を行うことにより所望の形状にパターニングする。これにより、上側基板１１の一面側に上側電極１３ａ、１３ｂが形成され、下側基板１２の一面側に下側電極１４ａ、１４ｂが形成される。なお、本例では省略しているが、必要に応じて、パターニングされた透明電極の一部表面上にＳｉＯ２などによる絶縁層を形成してもよい。
【００２７】
次に、上側基板１１および下側基板１２のそれぞれをアルカリ溶液等で洗浄した後、配向膜を形成する。上側基板１１については、配向膜材料を上側基板１１のほぼ全面に渡ってフレキソ印刷法またはインクジェット法によって塗布し、所定条件（例えば、１８０℃、３０分間）で焼成する。また、下側基板１２についても、配向膜材料を下側基板１２のほぼ全体に渡ってフレキソ印刷法またはインクジェット法によって塗布し、所定条件（例えば、１８０℃、３０分間）で焼成する。その後、各配向膜１５、１６に対してラビング処理を行う。ラビング処理には、例えば綿製ラビング布を用いる。
【００２８】
次に、一方の基板（例えば上側基板１１）に、例えば５．５μｍ程度の粒径のロッド状ガラススペーサーが略２ｗｔ％混入したシール材をディスペンサーによって所望パターンに塗布する。また、他方の基板（例えば下側基板１２）には、例えば６μｍ程度の粒径の球状プラスティックスペーサーを乾式散布法によって散布する。その後、上側基板１１と下側基板１２をこれらの一面同士が対向するようにして貼り合わせ、熱圧着する。これによりシール材が硬化し、上側基板１１と下側基板１２が固定される（空セルが完成する）。上記したように各基板は、それぞれへ施されたラビング方向がアンチパラレルとなるように配置される。
【００２９】
次に、真空注入法等の方法によって上側基板１１と下側基板１２の間隙に液晶組成物を注入し、プレス処理をしながら注入口を封止することにより、液晶層１９を形成する。このときの液晶組成物としては、誘電率異方性Δε＜０の液晶材料に対して、ある温度範囲にて液晶層を示し、紫外線照射によりポリマー化して硬化する紫外線感光性樹脂モノマーを適量添加し（例えば１〜４ｗｔ％）、相溶させたものが用いられる。以上により、図３（Ａ）に示すような液晶セルが完成する。この時点では、液晶層１９のプレティルト角は、ドットマトリクス表示部１に対応する領域、セグメント表示部２に対応する領域のいずれにおいても同じであり、例えば略８９．９°である。
【００３０】
次に、図３（Ｂ）に示すように、セグメント表示部２の全体（または一部）に駆動手段４０から電圧を印加しながら、セグメント表示部２およびドットマトリクス表示部１に渡って液晶層１９に紫外線（ＵＶ）を照射する。この時の電圧は液晶層の閾値電圧以上とする。ここでは例えば、フレーム周波数４００Ｈｚのスタティック駆動波形（矩形波デューティ比１：１）の電圧を印加する。このとき、液晶層１９ではセグメント表示部２に対応する領域のみ電圧印加による液晶分子の再配向が生じる。この状態で紫外線を照射することにより、紫外線感光性樹脂モノマーが重合してポリマー化し、高分子ネットワーク（高分子体）が形成される。また、紫外線感光性樹脂モノマーの一部は、上側基板１１、下側基板１２の各一面上に堆積し、ポリマー膜１７、１８となる（図３（Ｃ）参照）。電圧印加によって液晶分子を再配向させた状態で高分子ネットワークを形成することにより、電圧印加を解除した後も、液晶層１９のセグメント表示部２に対応する領域にプレティルト角を付加することができる。このプレティルト角θｐｓは、液晶層１９のドットマトリクス表示部１に対応する領域におけるプレティルト角θｐｄよりも小さくなる（図２（Ａ）および図２（Ｂ）参照）。これは、主に液晶層１９内に形成された高分子ネットワークによる作用と考えられる。また、この作用は各ポリマー膜１７、１８によって補強されるものと考えられる。その後、液晶材料の等方相転移温度以上の温度（例えば１２０℃）で１時間の熱処理を行う。
【００３１】
次に、上側基板１１の外側に上側偏光板２１および光学補償板２３を貼り合わせ、かつ下側基板１２の外側に下側偏光板２２および光学補償板２４を貼り合わせる。上側偏光板２１と下側偏光板２２のそれぞれは、例えば、液晶層１９の略中央における液晶分子の配向方向に対して略４５°の角度を有し、かつ互いの吸収軸がクロスニコル配置とされる。最後に、リードフレーム等を適宜に取り付けることにより、上記した図１に示した液晶表示装置が完成する。
【００３２】
次に、ドットマトリクス表示部１とセグメント表示部２でプレティルト角を相違させることによる効果についての検証結果を説明する。ここでは、上記した製造方法により、紫外線感光性樹脂モノマーの添加量や紫外線の照度をいくつかの条件に設定して作製した実施例の液晶表示装置について諸特性を評価した。また、比較例として、紫外線感光性樹脂モノマーを添加しない液晶材料を用いて液晶層を形成した点を除いては実施例と共通の構成を備える液晶表示装置を作製した。
【００３３】
図４は、比較例の液晶表示装置の外観を示す図である。この図４に基づいて、比較例の液晶表示装置における配向不均一性の外観観察結果について説明する。比較例の液晶表示装置では、上側基板および下側基板の各々への配向処理の方向を液晶表示装置の正面から見て６時方向および１２時方向（図中において上下方向）としているため、液晶層の層厚方向の略中央における液晶分子の配向方向は１２時方向に定まる。このとき、液晶層に閾値電圧以上の電圧を印加すると液晶層の液晶分子は配向方向に沿って水平方向へ傾斜する。この比較例の液晶表示装置は、６時方向から観察すると明表示の透過率が上昇し、１２時方向から観察すると明表示の透過率が低下して視認しにくくなる。このときの６時方向を「最良視認方向」、１２時方向を「反視認方向」と呼ぶ。ただし、本実施形態においてはカイラル剤をさらに用いることも可能であり、その場合は液晶分子の配向方向は液晶層の層厚方向の中央における液晶分子の配向方向を基準として考える。
【００３４】
比較例の液晶表示装置は、図４に示すように文字や７セグメントパターンによる数字表示を実現するセグメント表示部（図中、右側に点線で囲んで示す部分）と、複数の略長方形の画素部を規則的に配置したドットマトリクス表示部（図中、左側に点線で囲んで示す部分）が存在する。図４は、ドットマトリクス表示部およびセグメント表示部の全てを明表示としたものである。このときの駆動条件は１／１２８デューティ、１／１２バイアスとし、フレーム周波数をいくつかの条件に設定したフレーム反転波形によるマルチプレックス駆動であり、略最大コントラストが得られる明表示駆動電圧を用いた。なお、図４に示したのはフレーム周波数を１７５Ｈｚとした場合の観察像である。
【００３５】
上記に示した駆動条件下でドットマトリクス表示部およびセグメント表示部の各々における外観上の表示均一性が観察されるフレーム周波数の下限値を評価した。表示均一性の評価は正面外観観察により行い、観察者の主観で均一性の良／不良を判断した。これは、実際の量産工程における点灯検査と同様な評価方法である。評価の結果、表示均一性を得られるフレーム周波数の下限値（最低フレーム周波数）は、ドットマトリクス表示部においては１４０Ｈｚ、セグメント表示部の文字表示部である「MDCD AMFM」および「TEMP」のそれぞれにおいては２４０Ｈｚ、セグメント表示部の７セグメントによる数字表示部（数字の「８」を４つの縦棒と３つの横棒により表現した部分）のうち、縦棒部分においては１６０Ｈｚ、横棒部分においては１８０Ｈｚであった。すなわち、ドットマトリクス表示部の方がセグメント表示部に比べ表示均一性が得られるフレーム周波数の下限値が低いことが明らかになった。
【００３６】
また、セグメント表示部内においても表示パターンにより表示均一性が得られるフレーム周波数の下限値が異なることが分かった。より詳細にセグメント表示部を観察してみると、文字表示部である「MDCD AMFM」の部分ではフレーム周波数を低下させていくと、「C」、「D」、「A」、「F」のそれぞれの縦棒部分では比較的に低いフレーム周波数まで表示均一性を維持できるが、横棒部分や曲線部分ではフレーム周波数が高い場合においても表示不均一性が発生する傾向がみられた。また、文字表示部である「TEMP」の部分や７セグメントによる数字表示部でも同様な傾向がみられた。これを検討すると、明表示時における液晶分子の配向方向とセグメント表示部の画素エッジが直交している場合、又は画素エッジが、液晶層の層厚方向の中央における配向方向と９０°に近い角度の比較的広角で交差しておりその画素エッジの長さが比較的長い場合には表示均一性が得られるフレーム周波数が高く、これとは逆に液晶分子の配向方向と画素エッジが平行の場合、又は画素エッジが、液晶層の層厚方向の中央における配向方向と０°に近い角度の比較的狭角で交差しておりその画素エッジの長さが比較的に長い場合には表示均一性が得られるフレーム周波数が低い傾向がみられる。これは、液晶分子の配向方向に対して略直交し、または広角で交差する画素エッジでは、電圧印加時において上下電極間に発生する斜め電界の影響を受けてラビング処理により規定された容易軸方向とは異なる方向へ液晶層の層厚方向の略中央における液晶分子が配向しようとするためと考えられる。
【００３７】
次に、実施例の液晶表示装置における配向不均一性の外観観察結果について説明する。ここでは、実施例の液晶表示装置の正面観察時において、明表示時の表示均一性の駆動周波数依存性を評価した。具体的には表示不均一性が観察されるフレーム周波数の下限値を外観観察から評価した。なお、液晶表示装置の駆動条件は比較例の液晶表示装置の観察時と同様に１／１２８デューティ、１／１２バイアスとし、フレーム周波数をいくつかの条件に設定したフレーム反転波形によるマルチプレックス駆動であり、略最大コントラストが得られる明表示駆動電圧を用いた。
【００３８】
図５は、比較例および実施例の液晶表示装置において、各表示部の表示均一性が得られる駆動周波数の評価結果を示す図（表）である。なお、実施例の液晶表示装置は、紫外線感光性樹脂モノマーを液晶材料に対して２ｗｔ％添加し、紫外線照度は略１８ｍＷ／ｃｍ２、照射量は略１Ｊ／ｃｍ２、紫外線照射時の印加電圧の駆動波形はスタティック駆動波形とし、そのフレーム周波数を４００Ｈｚ、電圧は０〜３０Ｖの間で設定した。この結果、比較例の液晶表示装置はドットマトリクス表示部において表示均一性が得られるフレーム周波数の下限値が１４０Ｈｚであるのに対し、実施例の液晶表示装置は紫外線照射時に電圧を印加しない場合（印加電圧＝０Ｖの場合）でも表示均一性が得られるフレーム周波数の下限値が９０Ｈｚとなり、比較例に比べて大幅に低下することが分かった。
【００３９】
また、セグメント表示部においては文字表示部である「TEMP」の部分と、数字表示部である７セグメントによる数字表示部の縦棒部分と横棒部分を観察した。比較例の液晶表示装置ではそれぞれの部分において表示均一性が得られるフレーム周波数の下限値が２４０Ｈｚ、１６０Ｈｚ、１８０Ｈｚであり、特に「TEMP」の部分とドットマトリクス表示部のそれぞれにおけるフレーム周波数の下限値に大きな隔たりがあることが分かった。一方、実施例の液晶表示装置においては、紫外線照射時に電圧印加を行わない場合、上記したそれぞれの部分において表示均一性が得られるフレーム周波数の下限値が１５５Ｈｚ、１２０Ｈｚ、１４５Ｈｚであり、いずれも比較例の液晶表示装置より低下しており、かつセグメント表示部内の各部分におけるフレーム周波数の下限値の差が減少する傾向にあることが分かった。ただし、ドットマトリクス表示部におけるフレーム周波数の下限値が９０Ｈｚであるので、セグメント表示部内の「TEMP」の部分との比較ではフレーム周波数の差が大きい。これに対して、紫外線照射時に電圧を印加することによりセグメント表示部の各部分のフレーム周波数の下限値はさらに低下させることが可能となる。例えば、フレーム周波数の下限値が最も高くなる「TEMP」の部分について見ると、紫外線照射時の印加電圧が１０Ｖ、２０Ｖ、３０Ｖと変化するに従ってフレーム周波数の下限値が１３０Ｈｚ、１１５Ｈｚ、１１０Ｈｚと減少し、３０Ｖ時にはドットマトリクス表示部のフレーム周波数と比べて２０Ｈｚの差に減少しており、略同等とみなせるフレーム周波数を実現できることが分かった。
【００４０】
図６は、文字表示部のうち「TEMP」の部分（図中「TEMP」と表記）、７セグメント表示部の縦棒部分（図中「7segL」と表記）および横棒部分（図中「7segH」と表記）における表示均一性が得られるフレーム周波数の紫外線照射時の印加電圧依存性を示す図である。紫外線照射時の印加電圧（VLCD）を上昇させることにより、上記した各表示部におけるフレーム周波数の下限値は低下し、さらにその差が小さくなる傾向がみられる。そして、印加電圧が２０Ｖよりも高い場合には表示部の違いに関わらずほぼ同等なフレーム周波数が得られるようになることが分かった。ドットマトリクス表示部のフレーム周波数の下限値は９０Ｈｚであるので、紫外線照射時の印加電圧を３０Ｖに設定すれば、液晶表示装置の全面で略等しいフレーム周波数の下限値を実現できる。
【００４１】
図７は、紫外線照射時の印加電圧と液晶層のプレティルト角の関係の評価結果を示す図である。図示のように、印加電圧（VLCD）が０Ｖのときのプレティルト角は８９．９５°であり、印加電圧が増加するに従ってプレティルト角が低下することが分かった。プレティルト角の大きさは印加電圧が２０Ｖ程度となると飽和し、印加電圧が３０Ｖのときと２０Ｖのときではプレティルト角に差がほとんどない。この結果は、上記した図６に示したフレーム周波数の下限値と印加電圧の相関性と非常によく似た傾向であり、プレティルト角を低下させることによりフレーム周波数の下限値が低下することが分かる。
【００４２】
ところで、電気光学特性はプレティルト角が９０°に近いほどより急峻になることから、開口率が低いドットマトリクス表示部においては出来るだけプレティルト角を９０°に近い状態とすることが望まれる。一方で、セグメント表示部はドットマトリクス表示部に比べて表示部の開口率が高いことから、多少急峻性が低下しても外観上は大きな影響はない。ここで問題となるのは、共通の駆動回路によってセグメント表示部とドットマトリクス表示部をマルチプレックス駆動する際には、電気光学特性における閾値に差が大きく生じると最大コントラストが得られる駆動電圧などに大きな隔たりが生じ、表示部全体としての均質性が損なわれることである。そこで、図７に示した評価結果を得るために用いた液晶表示装置を使用してマルチプレックス駆動時の電気光学特性における閾値の差を評価した。ここでは、電気光学特性における最大透過率を１００％、最低透過率を０％とした場合に５％の透過率が得られる駆動電圧Ｖ５を測定し、セグメント表示部とドットマトリクス表示部の各々の駆動電圧Ｖ５の差ΔＶ５の紫外線照射時の印加電圧への依存性を評価した。
【００４３】
図８は、各駆動電圧Ｖ５の差ΔＶ５の紫外線照射時の印加電圧への依存性を評価した結果を示す図である。ここでの駆動条件は１／１２８デューティ、１／１２バイアス、フレーム周波数２５０Ｈｚのフレーム反転波形とした。印加電圧（VLCD）が１０ＶのときのΔＶ５は０．１８Ｖ程度、印加電圧が３０ＶのときのΔＶ５は０．２８Ｖ程度であり、この程度のプレティルト角変化であれば外観上もセグメント表示部とドットマトリクス表示部において閾値が異なるように観察されないことを確認した。
【００４４】
次に、表示均一性が得られるフレーム周波数の下限値と液晶材料（液晶組成物）に含まれる紫外線感光性樹脂モノマー濃度の関係について調査した。図９は、紫外線感光性樹脂モノマー添加量が２ｗｔ％、４ｗｔ％のときにおける表示均一性が得られるフレーム周波数の紫外線照射時の印加電圧への依存性を示す図である。印加電圧（VLCD）が０Ｖのときにはフレーム周波数の下限値の紫外線感光性樹脂モノマー添加濃度への依存性は観察されないが、印加電圧が上昇するに従って添加濃度が高い方がフレーム周波数の下限値がより低い値になる傾向が観察された。
【００４５】
図１０は、紫外線感光性樹脂モノマーを各添加濃度とした液晶表示装置において紫外線照射時の印加電圧に対するプレティルト角の発現状態について評価した結果を示す図である。紫外線感光性樹脂モノマーの添加濃度に対する印加電圧依存性は上記図９と同様な傾向が観察されるが、添加濃度が高い方がプレティルト角がより低く発現する傾向が観察される。従って、プレティルト角がより低く発現することにより表示均一性が得られるフレーム周波数の下限値が低下したと考えられる。
【００４６】
図１１は、表示均一性が得られるフレーム周波数の下限値の紫外線照度依存性について評価した結果を示す図である。ここでは、紫外線感光性樹脂モノマー添加量を２ｗｔ％、紫外線照射時の駆動条件はスタティック駆動波形、フレーム周波数４００Ｈｚ、印加電圧２０Ｖ、紫外線照射量は１Ｊ／ｃｍ２に設定した。この場合には、紫外線照度が略１５〜２５ｍＷ／ｃｍ２程度でフレーム周波数の下限値が１００Ｈｚとなり、フレーム周波数の下限値を最も低くすることが出来た。配向組織を観察すると、紫外線照度が１０ｍＷ／ｃｍ２未満及び４０ｍＷ／ｃｍ２以上の範囲では配向均一性が損なわれる傾向が観察された。一方、上記でフレーム周波数が最も低く出来る紫外線照度の条件においては配向均一性が優れ外観観察時に表示均一性に優れていることが分かった。また、紫外線照射量に関しても条件の最適化を行った。上記の結果を踏まえて紫外線照射時の照度を２５ｍＷ／ｃｍ２に固定したとき、配向組織において配向均一性が得られ、外観観察において良好な表示状態を実現できる紫外線照射量の範囲は０．７５〜１．５Ｊ／ｃｍ２程度であった。紫外線照射量を上昇させていくと５Ｊ／ｃｍ２以上の範囲では配向組織において配向不均一が観察される傾向がみられ、外観観察においても表示均一性が若干劣化する傾向が観察された。したがって、照射量は０．７５ｍＪ／ｃｍ２以上、５Ｊ／ｃｍ２未満に設定することが好ましい。
【００４７】
（第２実施形態）
上記した第１実施形態においては、セグメント表示部にのみ紫外線照射時に電圧を印加したが、マルチプレックス駆動の液晶表示装置においては電極パターンの配線状況によっては、上記したスタティック駆動条件ではドットマトリクス表示部に電圧を完全に印加しない駆動状態にはできない可能性がある。このような場合に適した製造方法を以下に説明する。なお、液晶表示装置の構造については上記した第１実施形態と同様であり、製造方法についても紫外線を照射する工程以外は同様であるため、ここでは紫外線を照射する工程について説明する。
【００４８】
図１２は、第２実施形態の液晶表示装置の製造方法の一例を示す模式的な断面図である。紫外線感光性樹脂モノマーを適量添加し（例えば１〜４ｗｔ％）、相溶させた液晶材料を用いて液晶層１９が形成され、液晶セルが完成すると、図１２（Ａ）に示すように、ドットマトリクス表示部１およびセグメント表示部２の全体に駆動手段４０から電圧を印加しながら、ドットマトリクス表示部１およびセグメント表示部２に渡って紫外線（ＵＶ）を照射する。このとき、ドットマトリクス表示部１に対応する領域を覆う遮光パターンを有するフォトマスク４１を介して紫外線を照射する。それにより、ドットマトリクス表示部１に対応する領域には紫外線が照射されず、セグメント表示部２にのみ選択的に紫外線を照射することができる。
【００４９】
次に、図１２（Ｂ）に示すように、ドットマトリクス表示部１とセグメント表示部２のいずれにも電圧を印加しない状態で再度、ドットマトリクス表示部１およびセグメント表示部２に渡って紫外線を照射する。このとき、セグメント表示部２に対応する領域を覆う遮光パターンを有するフォトマスク４２、すなわち、上記したフォトマスク４１の遮光パターンを反転した遮光パターンを有するフォトマスク４２を介して紫外線を照射する。それにより、セグメント表示部２に対応する領域には紫外線が照射されず、ドットマトリクス表示部１にのみ選択的に紫外線を照射することができる。
【００５０】
以上のようにして紫外線を照射することによっても、第１実施形態と同様に液晶層１９のセグメント表示部２に対応する領域のプレティルト角θｐｓがドットマトリクス表示部１に対応する領域におけるプレティルト角θｐｄよりも小さく設定された液晶表示装置を得ることができる。なお、１回目の紫外線照射時に紫外線感光性モノマーが十分にポリマー化できる紫外線照射量で露光できているのであれば、２回目の紫外線照射時には遮光パターンの反転したフォトマスク４２を介さず液晶表示装置の全面に紫外線照射してもよい。また、液晶層１９の各領域に対して選択的に紫外線照射を行うことができるのであれば、必ずしもフォトマスクを用いる必要はない。
【００５１】
（第３実施形態）
セグメント表示部において表示部の形状にかかわらず全面で表示均一性が得られるフレーム周波数の下限値を略一致させるには、表示部によって紫外線照射時の印加電圧を変化させることが有効であると考えられる。具体的には、図５で示したフレーム周波数の下限値の紫外線照射時の印加電圧への依存性を考慮すると、最もフレーム周波数が高い文字表示部（「TEMP」表示部）では３０Ｖ印加時に１１０Ｈｚが得られるが、数字表示部の７セグメントの縦棒部分と横棒部分ではフレーム周波数１１０Ｈｚを達成し得る紫外線照射時の印加電圧はそれぞれ略８Ｖおよび２０Ｖである。従って、それぞれの表示部にこれらの印加電圧を印加しながら紫外線を照射することにより、各表示部でのフレーム周波数の下限値を略一致させることが可能になる。しかし、マルチプレックス駆動を前提にした液晶表示装置においてはスタティック駆動ではそれぞれの表示部に同時に任意の電圧を印加することは困難である。従って、マルチプレックス駆動により駆動し、各表示部にスタティック駆動時と同じ駆動電圧が加わる実効値電圧が印加されるようにパルス幅変調、フレームレート変調等の中間調駆動方法を用いて電圧を印加するようにすれば、セグメント表示部２の各表示部における実効値電圧を制御可能である。なお、マルチプレックス駆動においても中間調電圧を用いない場合は第２実施形態に示したフォトマスクを用いたマスク露光により紫外線照射を複数回行うことに実現可能と考えられる。
【００５２】
なお、本発明は上述した実施形態の内容に限定されるものではなく、本発明の要旨の範囲内において種々に変形して実施をすることが可能である。
【符号の説明】
【００５３】
１：ドットマトリクス表示部
２：セグメント表示部
１１：上側基板
１２：下側基板
１３ａ、１３ｂ：上側電極
１４ａ、１４ｂ：下側電極
１５、１６：配向膜
１７、１８：ポリマー膜
１９：液晶層
２１：上側偏光板
２２：下側偏光板
２３、２４：光学補償板（視角補償板）
３０：液晶分子
３１：モノマー
４０：駆動手段
４１、４２：フォトマスク
【図１】
0005959176.tif 000002
【図２】
0005959176.tif 000003
【図３】
0005959176.tif 000004
【図５】
0005959176.tif 000005
【図６】
0005959176.tif 000006
【図７】
0005959176.tif 000007
【図８】
0005959176.tif 000008
【図９】
0005959176.tif 000009
【図１０】
0005959176.tif 000010
【図１１】
0005959176.tif 000011
【図１２】
0005959176.tif 000012
【図４】
0005959176.tif 000013